(57)【特許請求の範囲】
【請求項１】
墓地に設置される墓標本体と、この墓標本体に装着される墓誌プレートとから構成され、
前記墓標本体は、相互に合わされる第１及び第２本体部材から構成された本体部と、前記本体部の底部を受け入れる第１凹部が設けられた脚部と、前記本体部の頂部を受け入れる第２凹部が設けられた庇部と、を有し、前記本体部には、前記墓誌プレートを挿入するための挿入開口と、前記挿入開口から延びる収容部と、前記収容部に収容された前記墓誌プレートの少なくとも片面を露出するための表示開口と、が設けられており、前記墓誌プレートは、前記挿入開口を通して前記収容部に着脱自在に装着され、
前記第１及び第２本体部材を相互に合わせると、前記第１及び第２本体部材の間に前記挿入開口及び前記収容部が規定され、前記第１及び第２本体部材の底部が前記脚部の前記第１凹部に嵌め込まれ、それらの頂部が前記庇部の前記第２凹部に嵌め込まれることを特徴とする墓標。
【請求項２】
前記墓標本体には第１ロック孔が設けられ、前記墓誌プレートには第２ロック孔が設けられ、前記第１及び第２ロック孔を通してロック手段が着脱自在に装着されることを特徴とする請求項１記載の墓標。
【請求項３】
前記墓誌プレートは、ステンレス鋼板、銅板及び真鍮鋼板のいずれかから形成されていることを特徴とする請求項１又は２記載の墓標。
【発明の詳細な説明】
【０００１】
【発明の属する技術分野】
本発明は、墓地に設置される墓標に関する。
【０００２】
【従来の技術】
従来から、墓地に設置する墓石セットとして、墓石と墓標とを組み合わせたものが広く用いられてる。墓石には例えば○○家の墓と刻印され、墓石の横に設置される墓標には、その墓（○○家の墓）に納骨された死者の戒名、享年等の墓誌が刻印される。
【０００３】
【発明が解決しようとする課題】
このような墓石セットにおいては、墓石の刻印等については、墓地に設置する際に一度書き込むと、その後書き足すということがないが、墓標の刻印等については、墓地に設置する際に書き込まれ、また設置後に亡くなった人の納骨を行ったときにその死者についての墓誌の書き足しが行われる。
【０００４】
従来の墓標は、墓誌を刻印等する墓標本体と、この墓標本体を支持する脚部から構成され、墓標本体が矩形状の一つの石、例えば御影石から形成されている。このような墓標では、墓標本体が石で形成さているために重量が重くて壊れ易く、墓誌を書き足す場合においても、その取り扱いに充分に注意をしなければならない。そのために、墓誌の書き足しは、例えば、専門の刻印業者が墓地に出向いて墓標本体に戒名等を刻印して書き足したり、或いは、専門の運送業者に依頼して墓標本体を専門の刻印業者に輸送し、刻印業者にて墓標本体に墓誌の書き足しを行い、その後刻印した墓標本体を再び墓地に輸送して設置している。それ故に、墓誌の書き足しには余分な費用がかかり、その書き足し費用は高額になる問題がある。
【０００５】
本発明の目的は、墓誌の書き足しを容易に行うことができる墓標を提供することである。
【０００６】
【課題を解決するための手段】
本発明は、墓地に設置される墓標本体と、この墓標本体に装着される墓誌プレートとから構成され、
前記墓標本体は、相互に合わされる第１及び第２本体部材から構成された本体部と、前記本体部の底部を受け入れる第１凹部が設けられた脚部と、前記本体部の頂部を受け入れる第２凹部が設けられた庇部と、を有し、前記本体部には、前記墓誌プレートを挿入するための挿入開口と、前記挿入開口から延びる収容部と、前記収容部に収容された前記墓誌プレートの少なくとも片面を露出するための表示開口と、が設けられており、前記墓誌プレートは、前記挿入開口を通して前記収容部に着脱自在に装着され、
前記第１及び第２本体部材を相互に合わせると、前記第１及び第２本体部材の間に前記挿入開口及び前記収容部が規定され、前記第１及び第２本体部材の底部が前記脚部の前記第１凹部に嵌め込まれ、それらの頂部が前記庇部の前記第２凹部に嵌め込まれることを特徴とする墓標である。
【０００７】
本発明に従えば、墓誌が書き込まれる墓誌プレートが墓標本体の本体部に着脱自在に装着されるので、墓誌を書き足す場合、墓標本体の本体部から墓誌プレートを取り外すことができ、このように取り外すことによって、墓誌を書き込む部分の取り扱いが容易となり、追加すべき墓誌の書き込みが容易となる。このような墓標本体は例えば石（御影石等）、ステンレス鋼等から形成され、墓誌プレートは例えばステンレス鋼板等から形成される。また、墓標本体の本体部に挿入開口及びこの挿入開口から延びる収容部が設けられているので、この挿入開口を通して挿入することによって、墓誌プレートを墓標本体の本体部の収容部に着脱自在に収容することができる。また、墓標本体の本体部には表示開口が設けられているので、収容部に収容した墓誌プレートに示された墓誌をこの表示開口を通して露出させることができる。例えば、墓標本体の本体部の片面側に表示開口を設けた場合、収容された墓誌プレートの片面に示された墓誌を露出させることができ、また墓標本体の本体部の両面側に表示開口を設けた場合、収容された墓誌プレートの両面に示された墓誌を露出させることができ、このように構成した場合に墓誌の追加書込み領域を多くすることができる。また、墓標本体の本体部は相互に合わされる第１及び第２本体部材から構成され、このように二つの部材から構成することによって、本体部を石（御影石等）からでも容易に形成することができ、その製作コストを安価にすることができる。また、このように合わせた第１及び第２本体部材の底部が脚部の第１凹部に嵌め込まれ、またそれらの頂部が庇部の第２凹部に嵌め込まれるので、嵌込み作業でもって墓標本体を簡単に組み立てることができる。
【００１４】
また、本発明では、前記墓標本体には第１ロック孔が設けられ、前記墓誌プレートには第２ロック孔が設けられ、前記第１及び第２ロック孔を通してロック手段が着脱自在に装着されることを特徴とする。
【００１５】
本発明に従えば、墓標本体の第１ロック孔及び墓誌プレートの第２ロック孔を通してロック手段が着脱自在に装着されるので、ロック手段を装着した状態では、墓標本体から墓誌プレートを取り外すことができず、墓誌プレートの盗難防止等を図ることができる。一方、ロック手段を外した状態では、墓標本体から墓誌プレートを外すことができ、墓誌の書足し等を容易に行うことができる。尚、ロック手段としては、例えば、頭部及びこの頭部から延びる軸部を有するロック棒と、このロック棒の軸部の先端部に取り付けられるキー手段、例えば南京錠から構成することができる。
【００１６】
また、本発明では、前記墓誌プレートは、ステンレス鋼板、銅板及び真鍮鋼板のいずれかから形成されていることを特徴とする。
本発明に従えば、墓誌プレートがステンレス鋼板、銅板、真鍮鋼板から形成されているので、表面を美しく且つ清潔に保つことができ、また欠け、破損等が発生し難く、その取扱いが非常に容易であり、また墓誌の書足しも容易に行うことができる。
【００１７】
【発明の実施の形態】
以下、添付図面を参照して、本発明に従う墓標の実施形態について説明する。図１は、本発明に従う墓標の第１の実施形態を示す斜視図であり、図２は、図１の墓標の墓標本体から墓誌プレートを取り外した状態を示す正面図であり、図３は、図２におけるＩＩＩ−ＩＩＩ線による断面図であり、図４は、図１の墓標の墓標本体を分解して示す分解斜視図であり、図５は、図１の墓標のロック手段及びその近傍を拡大して示す部分拡大断面図である。
【００１８】
図１〜図４において、第１の実施形態の墓標は、墓地に設置される墓標本体２と、この墓標本体２に装着される墓誌プレート４とから構成されている。墓標本体２は、墓誌プレート４を収容する矩形状の本体部６と、この本体部６の底部に取り付けられる一対の脚部８と、この本体部６の頂部に取り付けられる庇部１０とを有している。
【００１９】
この形態では、本体部６は、墓標の表面側に配置される第１本体部材１２と、墓標の裏面側に配置される第２本体部材１４とから構成され、第１及び第２本体部材１２，１４が相互に合わされて本体部６を構成する。第１本体部材１２の裏面側には所定幅の第１収容凹部１６が形成され、この第１収容凹部１６は第１本体部材１２の一側面（図１、図２及び図４において左側の側面）からその他側面（図１、図２及び図４において右側の側面）近傍まで直線状に延びている。また、第２本体部材１４の表面側には、第１本体部材１２の第１収容凹部１６に対応して第２収容凹部１８が形成され、この第２収容凹部１８も第２本体部材１４の一側面から他側面に向けて直線状に延びている。このように構成されているので、第１及び第２本体部材１２，１４を所要の通りに合わせると、図１〜図３から理解されるように、第１及び第２本体部材１２，１４の間に矩形状の収容部２０が規定されるとともに、この収容部２０の一端に挿入開口２２が規定される。また、第１本体部材１２の大部分には、その第１収容凹部１４より幾分小さい矩形状の開口２３が形成され、この開口２３が墓標本体２の表示開口２５として機能する。
【００２０】
一対の脚部８は実質上同一の構成であり、上面に第１凹部２４が形成された脚部材から構成される。第１凹部２４の幅は本体部６の厚さに対応した大きさに形成され、図１〜図３に示すように、本体部６（第１及び第２本体部材１２，１４）の底部が各脚部８の第１凹部２４内に嵌め込まれる。かかる脚部８は、本体部６の横方向（図１及び図４において左下から右上の方向、図２において左右方向）に間隔をおいて本体部６に取り付けられる。
【００２１】
また、庇部１０は下面に第２凹部２６（図３参照）が形成された庇部材から構成される。第２凹部２６は本体部６の頂面に対応した形状に形成され、図１〜図３に示すように、本体部６の頂部が庇部１０の第２凹部２６内に嵌め込まれる。尚、この第２凹部２６は、庇部１０の長手方向一端から他端まで形成するようにしてもよい。
【００２２】
このように構成されているので、第１及び第２本体部材１２，１４を相互に合わせ、それらの底部を一対の脚部８の第１凹部２４に嵌め込み、それらの頂部を庇部１０の第２凹部２６に嵌め込むことによって、墓標本体２を簡単に且つ容易に組み付けることができる。
【００２３】
墓誌プレート４は、墓標本体２の収容部２０に対応した矩形状であり、その表面に亡くなった人の戒名、享年等の墓誌が刻印（又は記載）等される。この墓誌プレート４は、図１及び図２に示すように、墓標本体２の挿入開口２２を通して挿入され、かく挿入してその収容部２０に着脱自在に収容される。この収容状態においては、墓誌プレート４の表面側が第１本体部材１２の内側に位置するので、墓標本体２の表示開口２５を通して墓誌プレート４の表面が外側に露出し、墓参り者は、この表示開口２５を通して墓誌プレート４表面の墓誌を見ることができる。
【００２４】
このような墓標本体２、即ち本体部６（第１及び第２本体部材１２，１４）、一対の脚部８（脚部材）及び庇部１０（庇部材）は、例えば墓石と同様の石（例えば御影石等）から形成される。また、墓誌プレート４は、ステンレス鋼板、銅板、真鍮鋼板等から形成され、このような金属プレートから形成することによって、欠け、破損等がなく、その取扱いが容易となる。尚、墓誌プレート４を、墓標本体２と同様の石から形成するようにしてもよい。
【００２５】
このような墓標には、墓標本体２からの墓誌プレート４の取り外しを防止するために、取外し防止機構を設けるのが望ましい。主として図４及び図５を参照して、図示の取外し防止機構は、頭部３２及びこの頭部３２から延びる軸部３４を有するロック棒３６と、このロック棒３６の軸部３４の先端部に取り付けられるキー手段とを備えるロック手段３０から構成され、例えば、キー手段は、ロック解除自在に軸部３４の貫通孔４０に装着される南京錠３８から構成される。墓標本体２（第１及び第２本体部材１２，１４）には第１ロック孔４２が設けられ、また墓誌プレート４には第２ロック孔４４が設けられ、ロック棒３６は、例えば墓標本体２の表面側から墓標本体２の第１ロック孔４２及び墓誌プレート４の第２ロック孔４４を通して挿通され、これらを通して突出する軸部３４の貫通孔４０に南京錠３８がロック解除自在に取り付けられる。
【００２６】
このような墓標では、次のようにして墓標本体２から墓誌プレート４を取り外すことができる。例えば、墓誌を書き足す場合等においては、まず、キー４６（図５参照）を用いて南京錠３８のロックを解除し、墓標本体２からロック棒３６を引き抜いてロック手段３０によるロック状態を解除する。次いで、墓標本体４から墓誌プレート４を矢印４８（図２参照）で示す方向と反対方向に引き出せばよく、このように引き出すことによって、墓誌プレート４を墓標本体２から取り外すことができる。そして、墓誌の書足しを行う場合、外した墓誌プレート４を例えば刻印業者に輸送して書足しを行い、その後、この墓誌プレート４を墓標本体２に取り付ければよい。墓誌プレート４は墓標本体４に比して小さく、またその重量も軽いので取扱いが容易であり、墓誌の書込みを容易に行うことができる。特に、墓誌プレート４をステンレス鋼板等の金属プレートから形成した場合、欠け、破損がなく、その取扱い（取外し、輸送、取付け等の作業）が一層容易となり、墓誌の書込みのコストを大幅に低減することができる。
【００２７】
尚、書込み後の墓誌プレート４の取付けは、墓誌プレート４を墓標本体２の挿入開口２２を通して矢印４８で示す方向に挿入して収容部２０に収容し、ロック棒３６の軸部３４を墓標本体２の第１ロック孔４２及び墓誌プレート４の第２ロック孔４４を通して挿通し、その後、軸部３４の先端部に南京錠３８を取り付ければよい。かくすると、ロック手段３０がロック状態になり、ロック棒３６によって、墓誌プレート４の墓標本体２からの取り外しが阻止され、盗難防止等を図ることができる。尚、墓誌プレート４の取付け、取外しを容易にするために、その側面に取っ手を設けるようにしてもよい。
【００２８】
次いで、図６を参照して、本発明に従う墓標の第２の実施形態について説明する。図６は、第２の実施形態の墓標を示す斜視図である。尚、以下の実施形態において、第１の実施形態と実質上同一の部材には同一の番号を付し、その説明を省略する。
【００２９】
図６において、この第２の実施形態においては、墓標本体２Ａの本体部６Ａが一体的に形成され、その一側面に形成された挿入開口２２から他側面近傍まで収容部が延びている。このように本体部６Ａを一体的に形成した場合、第１の実施形態のように二つの部材を合わせる必要がないので、庇部は必ずしも必要でなく、省略することもできるが、外観上の美観から設けるようにしてもよい。第２の実施形態のその他の構成は、上述した第１の実施形態と実質上同一でよい。この第２の実施形態においても、第１の実施形態と同様の作用効果が達成される。
【００３０】
次に、図７を参照して、本発明に従う墓標の第３の実施形態について説明する。
図７は、本発明に従う墓標の第３の実施形態を示す斜視図である。図７において、この実施形態では、墓標本体２Ｂが一対の柱状部材５２，５４と、柱状部材５２，５４の上端部を接続する上接続部材５６と、それらの下部を接続する下接続部材５８と、から構成されており、これら柱状部材５２，５４並びに上及び下接続部材５６，５８によって、墓標本体２Ｂの矩形状開口６０が規定され、この矩形状開口６０が表示開口として機能する。
【００３１】
一方の柱状部材５２（図７において左側の柱状部材）には、上接続部材５６及び下接続部材５８の間隔にほぼ対応して、細長い貫通孔６２が形成され、かかる貫通孔６２が挿入開口を規定する。上接続部材５６の下面には上収容溝が形成され、この上収容溝は上記貫通口６２の上端部から上接続部材５６の長手方向に直線状に他方の柱状部材５４まで延びている。また、下接続部材５８の上面には下収容溝６４が形成され、この下収容溝６４は上記貫通口６２の下端部から下接続部材５８の長手方向に直線状に他方の柱状部材５４まで延びている。このように構成されているので、上接続部材５６の上収容溝と下接続部材５８の下収容溝６４との間に収容部が規定される。このような墓標本体２Ｂ（柱状部材６２，６４及び接続部材５６，５８）は例えばステンレス鋼材から形成される。
【００３２】
墓誌プレート４Ｂは、第１及び第２実施形態と同様に、矩形状のプレート、例えばステンレス鋼板等から形成される。この墓誌プレート４Ｂは、柱状部材５２の貫通孔６２を通して上接続部材５６の上収容溝及び下接続部材５８の下収容溝６４に挿入され、これら収容溝６４に沿ってスライドして墓標本体２Ｂの収容部に着脱自在に取り付けられる。
【００３３】
この形態の墓標では、一対の柱状部材５２，５４の下部が墓地の地中に埋設され、装着された墓誌プレート４Ｂの片面は墓標本体２Ｂの矩形状開口６０の表面側を通して露出し、また墓誌プレート４Ｂの他面は墓標本体２Ｂの矩形状開口６０の裏面側を通して露出し、従って、墓誌プレート４Ｂの両面を墓誌の記載領域として利用することができる。尚、この形態の墓標においても、上述した実施形態と同様に、墓標本体２Ｂ（具体的には、柱状部材５２）及び墓誌プレート４Ｂに、取外し防止機構としてのロック手段３０を設けるのが望ましい。
【００３４】
以上、本発明に従う墓標の実施形態について説明したが、本発明はかかる実施形態に限定されるものではなく、本発明の範囲を逸脱することなく種々の変形乃至修正が可能である。
【００３５】
例えば、第１及び第２の実施形態では、墓標本体２（２Ａ）の表面側に表示開口２５を設け、収容部２０に装着した墓誌プレート４の表面側を露出させているが、このような構成に限定されず、墓標本体２（２Ａ）の両面（表面側及び裏面側）に表示開口を設け、これら表示開口を通して墓誌プレート４の両面を露出させるようにしてもよい。
【００３６】
また、例えば、第１〜第３の実施形態では、墓標本体２（２Ａ，２Ｂ）の片側に挿入開口２２（２２Ｂ）を設けているが、このような構成に限定されず、墓標本体の両側に挿入開口を設けるようにしてもよく、このように構成した場合、いずれか一方の挿入開口を利用して墓誌プレートを収容部に着脱自在に取り付けることができ、狭い墓地等においても墓誌プレートの取付け取外しを容易に行うことができる。
【００３７】
また、例えば、第１〜第３の実施形態では、墓誌プレート４を墓標本体２（２Ａ、２Ｂ）の挿入開口２２（２２Ｂ）を通してその収容部２０（２０Ｂ）に着脱自在に装着しているが、このような構成に代えて、墓標本体の収容部に表示開口を通して嵌め込むように構成するようにしてもよい。
【００３８】
【発明の効果】
本発明の請求項１の墓標によれば、墓誌が書き込まれる墓誌プレートが墓標本体の本体部に着脱自在に装着されるので、墓誌を書き足す場合、墓標本体の本体部から墓誌プレートを取り外すことができ、追加すべき墓誌の書き込みが容易となり、墓誌の書込み費用の大幅な低減を図ることができる。また、墓標本体の本体部に挿入開口及びこの挿入開口から延びる収容部が設けられているので、この挿入開口を通して挿入することによって、墓誌プレートを墓標本体の本体部の収容部に着脱自在に収容することができる。また、墓標本体の本体部には表示開口が設けられているので、収容部に収容した墓誌プレートに示された墓誌をこの表示開口を通して露出させることができる。また、墓標本体の本体部は相互に合わされる第１及び第２本体部材から構成されているので、本体部を石からでも容易に形成することができ、その製作コストを安価にすることができる。また、第１及び第２本体部材の底部が脚部の第１凹部に嵌め込まれ、またそれらの頂部が庇部の第２凹部に嵌め込まれるので、墓標本体の組付けを簡単に且つ容易に行うことができる。
【００４２】
また、本発明の請求項２の墓標によれば、墓標本体の第１ロック孔及び墓誌プレートの第２ロック孔を通してロック手段が着脱自在に装着されるので、ロック手段を装着した状態では、墓標本体から墓誌プレートを取り外すことができず、墓誌プレートの盗難防止等を図ることができる。
【００４３】
更に、本発明の請求項３の墓標によれば、墓誌プレートがステンレス鋼板、銅板、真鍮鋼板から形成されているので、表面を美しく且つ清潔に保つことができ、またその取扱いも非常に容易となり、墓誌の書足しも容易に行うことができる。
【図面の簡単な説明】
【図１】本発明に従う墓標の第１の実施形態を示す斜視図である。
【図２】図１の墓標の墓標本体から墓誌プレートを取り外した状態を示す正面図である。
【図３】図２におけるＩＩＩ−ＩＩＩ線による断面図である。
【図４】図１の墓標の墓標本体を分解して示す分解斜視図である。
【図５】図１の墓標のロック手段及びその近傍を拡大して示す部分拡大断面図である。
【図６】本発明に従う墓標の第２の実施形態を示す斜視図である。
【図７】本発明に従う墓標の第３の実施形態を示す斜視図である。
【符号の説明】
２，２Ａ，２Ｂ  墓標本体
４，４Ａ，４Ｂ  墓誌プレート
６  本体部
８  脚部
１０  庇部
１２  第１本体部材
１４  第２本体部材
２０，１２０Ｂ  収容部
２２  挿入開口
２５  表示開口
３０  ロック手段
【図１】
0003881249.tif 000002
【図２】
0003881249.tif 000003
【図３】
0003881249.tif 000004
【図４】
0003881249.tif 000005
【図５】
0003881249.tif 000006
【図６】
0003881249.tif 000007
【図７】
0003881249.tif 000008